(57)【要約】【課題】着席時は従来品よりスマートで下肢全体を包み込むため暖かく、立席時には退かす・掴む動作が一切不要の椅子取付け用膝掛けを提供する。【解決手段】  所定の大きさ・形状の主布１を固着手段２で椅子に取付けその上に座し、座面の下部に下がっている主布を両側から膝上に巻き上げて下肢を包む。裾部のチューリップラインがスマートな印象となり、巻き上げずに使用した場合も後方からの冷気を遮る。【選択図】        図２
2005068610.tif 000002
【特許請求の範囲】
【請求項１】
椅子に取付けて使用する膝掛けで、膝周りを覆うための主布１は所定の大きさ・形状で、椅子に取付けるための固着手段２を備え、座面に広げた主布１の上に座し、座面下部に下がっている主布１を両側から膝上に巻き上げることにより保温することを特徴とする。
【発明の詳細な説明】
【技術分野】
【０００１】
本発明は椅子取付け用膝掛けに関するもので、さらに詳しくは冬季及び冷房使用時の下肢の冷えを防止する為に椅子に取付けて使用する膝掛け。
【背景技術】
【０００２】
冬季及び冷房使用時下肢の冷えに対して、毛布等で形成された膝掛けを用い保護していた。その形状は一般的に単なる１枚の布様で膝上に載せ、もしくは腿下に巻き込んで用いた。
【特許文献１】実開昭６３−１９２４１７
【特許文献２】特開２００１−１４６６１２
【特許文献３】特開２００１−３２９４０７
【特許文献４】実開平０７−１２４２６上記、特許文献１では係止具で身体や器物に係合されるものであり、又、特許文献２では膝部にダーツ、ギャザーを設け上端のループで身体に固定する。さらに、特許文献３では円形の布の中央にひもの輪を取り付け机に固着し、特許文献４では特殊な形状の膝掛けを机の引出しに取り付けて使用する。
【発明の開示】
【発明が解決しようとする課題】
【０００３】
前記従来の膝掛けは着席時に膝掛けを膝上に床に触れないよう調整して広げ掛け、立席時には膝掛けが落ちないように掴み、離席時にはそれを椅子や机上に掛けたり、たたみ置かねばならず、大変な煩わしさが伴った。その煩雑さは時に立席を億劫に感じる程であり、掛けたり、たたみ置かれた膝掛けは、床に落ちてしまう事もめずらしくなく、慌てて机上に掛けた時など、その重みで机上の書類と共に床に散らばり、作業を増やす結果となった。
【０００４】
特許文献１及び特許文献２では身体に装着して使用するので、保温性に優れるが、着脱の手間はかえって単なる膝掛けより増してしまう。
【０００５】
また特許文献３及び４では机に取付ける為、着脱の手間は少なくなるが、ふくろはぎが覆われないため、後方からの冷気を防ぎきれず、保温性で劣る。さらに、机のない環境では利用できない、もしくは利用してもその利便性を発揮できない。
【課題を解決するための手段】
【０００６】
本発明は上記課題を解決した膝掛けを提供することを目的とするものであり、立席時に膝掛けを保持する手間を一切なくすために、椅子に取付けて使用する膝掛けで、膝周りを覆うための主布１は所定の大きさ・形状で、椅子に取付けるための固着手段２を備え、座面に広げた主布１の上に座し、座面下部に下がっている主布１を両側から膝上に巻き上げることにより保温することを特徴とする。
【発明の効果】
【０００７】
本発明の膝掛けは椅子取付け用であり、着席時には座面に広げて取付けられた膝掛けの上に座し、座面の下部に下がっている主布１を下から下肢を包むようにそれぞれ膝上に巻き上げ膝上で重ねる。腿からふくろはぎ・脛まですっぽりと包まれることによりしっかり保温される。この動作は片手で簡単に行うことができ、机上等で作業をしながらでも可能である。掛け上げられた膝掛けは裾部がチューリップラインとなるのも本発明の特徴のひとつで、従来の膝掛けよりもスマートな印象を与える。また多忙時など掛け上げずに使用した場合でも椅子座面から下がった主布が後方からの冷気を遮る。
【０００８】
上から掛けるだけでなく下から巻き上げることにより、ふくろはぎまで覆われ、従来品よりも薄い生地でより一層の保温力を実感することができる。
【０００９】
立席時においては従来の膝掛けを退ける・掴む必要がまったくなく、使用時の状態からそのまま立ち上がっても、膝掛けは椅子に取付けられているため椅子上に留まりその形状から膝掛けが床に触れることはなく、その処遇を気に掛ける必要もない。また使用の都度椅子への取付け・取り外しを行う必要がなく、常時取付けておくことができ、長時間離席する場合や他者がこの椅子を使用する場合等不要時には取付けたまま畳んでその上から着席することが可能である。
【００１０】
椅子への取付け・取り外しが容易で、簡便な形状は洗濯にも適する。
【００１１】
また本発明においては、前記主布の裏面に副布４を用いて膝掛け収納のための袋を形成し、主布を畳んで裏返すことにより座布団としての使用ができ、さらにその口を縛る口閉じ紐６或いは持手７を取付けることにより、持ち運びに便利な形状となり屋外での観戦時等利用範囲が広がる。
【発明を実施するための最良の形態】
【００１２】
以下、本発明の実施の形態を実施例に基づき図面を参照して説明する。
【実施例１】
【００１３】
図１は本発明膝掛けの一実施例を示す平面図であり、下肢を包む半円に近い形状の主布１と主布を椅子に取付けるための固着手段２によって形成される。主布の中央上部はその面に座するため、主布のヨレ・ヘタリを防止する補強の副布３を裏面に配し、さらにステッチを施す。
【００１４】
ここにおける主布１は生地に裏表の差がないものや薄い生地では外表に二重に合わせての使用も可能で、柔らかで肌触りの良いものワッフル状の生地やフリース・パイル等が適している。取付けのための固着手段２はスナップや面ファスナーを具えても良く、またゴムバンドでも可能である。
【００１５】
主布１を椅子座面上に広げて置き、椅子に固着手段２で図２のように取付ける。その上から着席し、座面の両側に下がっている主布１を下肢を包むようにそれぞれ膝上に巻き上げ膝上で図３のように重ねる。腿からふくろはぎ・脛まですっぽりと包まれることによりしっかり保温される。立席時は主布１を軽く退かすかもしくはそのまま立ち上がっても良く、膝掛けは固着手段２によって椅子に取付けられているため椅子上に留まり主布１の形状から膝掛けが床に触れることはなく、膝掛け取り外しとその処遇の手間は一切不要である。
【実施例２】
【００１６】
図４は収納用の副布４を設けた実施例の裏面図である。主布１の座面の裏面に補強の副布３と同程度の大きさの副布４をポケット状に縫い付ける。さらに副布４の椅子と接する面に滑り止め５を塗布することにより使用時の生地のヨレや固着手段２の負担を軽減する。
【実施例３】
【００１７】
図５は椅子に取付けたまま収納した図で、座布団としての使用が可能である。
【実施例４】
【００１８】
図６は口閉じ紐６・図７は持手７をそれぞれ設け携帯に便利な利用の一実施例である。
【産業上の利用可能性】
【００１９】
本発明は主に冬季においてオフィスや学校、特に立席・着席を繰り返す作業時に非常に有効で、携帯できる点は屋外観戦時等に適するため観戦グッズとしての需要を見込める。又、夏季の冷房時にも適しており冷暖房完備のオフィスでは薄い生地の使用で通年の利用が期待できる。
【図面の簡単な説明】
【００２０】
【図１】本発明の一実施例を示す平面図である。
【図２】上記実施例の椅子への取付け状態で示す斜視図である。
【図３】上記実施例の使用状態を示す正面図である。
【図４】本発明の一実施例を示す裏面平面図である。
【図５】上記実施例の取付け収納時を示す斜視図である。
【図６】本発明の収納時の一実施例を示す正面図である。
【図７】本発明の収納時の一実施例を示す正面図である。
【符号の説明】
【００２１】
１主布
２固着手段
３副布
４副布
５滑り止め
６口閉じ紐
７持手
【図１】
2005068610.tif 000003
【図２】
2005068610.tif 000004
【図３】
2005068610.tif 000005
【図４】
2005068610.tif 000006
【図５】
2005068610.tif 000007
【図６】
2005068610.tif 000008
【図７】
2005068610.tif 000009